(57)【特許請求の範囲】
【請求項１】
記録層を有する扁平状のホログラム記録媒体の記録／再生領域を記録／再生処理位置に移動せしめる記録媒体移動手段と、
該記録／再生処理位置において、一定方向からの光照射により前記ホログラム記録媒体の記録／再生領域に角度多重による記録／再生処理を施す記録／再生処理手段と、を備え、
前記記録媒体移動手段が、前記ホログラム記録媒体を、該ホログラム記録媒体の回転軸を中心として回転せしめる記録媒体回転移動手段と、該記録媒体回転移動手段を支持するとともに前記記録／再生処理位置を該ホログラム記録媒体上で相対的に直線移動せしめる記録媒体直線移動手段と、からなる多重ホログラム記録／再生装置において、
前記ホログラム記録媒体の回転軸上の位置を通り、前記直線移動の方向に垂直となる線分を基準線としたとき該基準線で分けられる前記ホログラム記録媒体上の２つの領域の一方側から他方側に、前記記録媒体直線移動手段を用いて、該記録／再生処理位置が前記ホログラム記録媒体上で相対的に直線移動するように制御する移動制御手段を備えたことを特徴とする多重ホログラム記録／再生装置。
【請求項２】
前記移動制御手段による制御は、前記記録／再生処理位置が前記回転軸上を通るように設定されていることを特徴とする請求項１記載の多重ホログラム記録／再生装置。
【請求項３】
前記移動制御手段による制御は、前記記録媒体直線移動手段を用い、前記ホログラム記録媒体上の所定の起点から、前記相対的な直線移動をなし、次に、前記記録媒体回転移動手段を用い、回転角ψが１８０度となる回転移動を行い、この後、前記記録媒体直線移動手段を用い、前記所定の起点に向けて前記相対的な直線移動をなす、一連の移動操作に係る制御であることを特徴とする請求項２記載の多重ホログラム記録／再生装置。
【請求項４】
前記一連の移動操作がなされた後、ホログラム記録媒体の記録／再生領域の一部または全域に前記記録／再生処理が施されるように、前記記録媒体回転移動手段を用い、該起点から所定の角度だけ回転させる度に、前記一連の移動操作を行うことを特徴とする請求項３記載の多重ホログラム記録／再生装置。
【請求項５】
前記移動制御手段による制御は、前記記録媒体直線移動手段を用い、前記ホログラム記録媒体上の所定の起点から、前記相対的な直線移動をなし、次に、前記記録媒体回転移動手段を用い、回転角ψが所定の角度（−１８０度＜ψ＜１８０度）となる回転移動を行い、この後、前記直線移動と前記回転移動を交互に繰り返す、一連の移動操作による制御であることを特徴とする請求項１記載の多重ホログラム記録／再生装置。
【請求項６】
請求項５記載の前記一連の移動操作がなされた後、前記記録媒体回転移動手段を用い、回転角ψが１８０度となる回転移動を行い、次に、前記記録媒体直線移動手段を用い、請求項５記載の前記一連の移動操作を行うことを特徴とする請求項５記載の多重ホログラム記録／再生装置。
【請求項７】
扁平状のホログラム記録媒体を、該ホログラム記録媒体の回転軸を中心として回転移動せしめるとともに該ホログラム記録媒体を相対的に直線移動させ、記録／再生処理位置に対して一定方向からの光照射により、該記録／再生処理位置において、前記ホログラム記録媒体の所望の記録／再生領域に記録／再生処理を施す多重ホログラム記録／再生方法において、
前記所望の記録／再生領域に角度多重による前記記録／再生処理を施し、
次に、前記ホログラム記録媒体を該記録／再生処理位置に対し、前記回転軸を中心として１８０度に亘って回転移動せしめるとともに、前記回転軸上の位置を通過して前記所望の記録／再生領域に至るまで相対的に直線移動せしめ、
この後、該記録／再生領域に角度多重による前記記録／再生処理を再度施すことを特徴とする多重ホログラム記録／再生方法。
【発明の詳細な説明】
【技術分野】
【０００１】
本発明は、多重ホログラム記録／再生装置およびその方法に関し、特に、記録／再生処理手段からの照射光（信号光および参照光、または参照光）がホログラム記録媒体に入射されるような多重ホログラム記録／再生装置およびその方法に関するものである。
【背景技術】
【０００２】
近年、大容量かつ高速な記録システムとしてホログラフィックメモリが注目されている。ホログラフィックメモリは、参照光・信号光と称される２つのコヒーレント光を干渉させ、生じた干渉縞を記録媒体に屈折率変化として記録・保持する。信号光は「ページデータ」と称される二次元データ画像により空間的に変調され、レンズを介して記録媒体へ照射される。参照光の条件（例えば記録媒体への入射角度、波長、あるいは波面等）等を変化させることで、記録媒体の同一箇所に複数のページデータを多重して記録することができるため高密度化・大容量化が可能である。多重の方法はこれまで様々なものが提案されている。入射角度を変えながら多重記録する角度多重方式はその代表的なものである（例えば特許文献１を参照）が、その他に、波長多重、位相コード多重、スペックル多重、球面波シフト多重など種々の多重方式が提案されている。
【０００３】
上記角度多重方式においては、参照光をガルバノメータミラーによって角度変更したり、参照光と信号光を含む面に垂直な軸を回転軸として記録媒体自体を回転させたりして、参照光の記録媒体への入射角度を少しずつ変えながら複数のページデータをホログラムの形態で記録する。また再生時には、記録したときと同一条件の参照光を記録媒体へ照射すると、記録媒体内部に記録されているホログラムにより光が回折し、再生光が得られる。これをカメラ等で撮影し復調することで元の情報を読み出すことが可能である。
【０００４】
また、再生時の参照光照射方法として、記録した際の参照光と位相共役なものを照射する方法があり、位相共役再生と呼ばれる（特許文献２）。位相共役再生の長所は、再生光のための光学系を記録時信号光の光学系で兼用できるため光学系の簡素化が可能なこと、また信号光が有していた光学系収差を打ち消すことができるため、高品質な再生信号が得られることにある。
【０００５】
ところで、上述した角度多重方式においては参照光の記録媒体への入射角度θについて一定の範囲の制約がある。これは、信号光を記録媒体へ入射させるための第１レンズと参照光とが物理的干渉をおこさないようにして、参照光を記録媒体へ入射させる必要から生じる。
【０００６】
この制約を考慮し、例えば参照光の記録媒体に対する入射角度θの可変範囲が10度で、角度多重のための角度間隔を1度とした場合、１１個の多重記録を行うことができることになる。記録媒体の同一箇所へ、より多くのホログラムを多重記録すれば記録密度および記録容量が向上できるから、多重数を向上させる研究がこれまで盛んに行われてきた。
【０００７】
角度多重数の向上のためには、クロストークの影響が許容量以下となる条件で角度間隔を出来る限り小さくする方法（特許文献３）や、角度間隔が記録媒体の記録層厚さにほぼ反比例することを利用した記録層の厚膜化などが提案されている。
【０００８】
一方、角度多重方式に別の多重方式を組み合わせて多重数増加を図る手法も様々に提案されている。例えば、角度多重方式とペリストロフィック多重方式（特許文献６、非特許文献１を参照）を組み合わせたホログラム記憶装置が特許文献４、５に記載されている。
【先行技術文献】
【特許文献】
【０００９】
【特許文献１】特開２００６−１５４１６３号公報
【特許文献２】特開２０１０−１２９１１０号公報
【特許文献３】特開２００９−２６５５３４号公報
【特許文献４】特開２００４−３５４５６５号公報
【特許文献５】特開２０００−３３８８４６号公報
【特許文献６】特開２００５−２５７８８５号公報
【非特許文献】
【００１０】
【非特許文献１】Kevin Curtis et al. "Method forholographic storage using peristrophic multiplexing," Vol.19, Opt.Lett.993(1994),
【発明の概要】
【発明が解決しようとする課題】
【００１１】
ところで、記録媒体記録層の厚膜化が多重数向上に繋がることは明らかであるが、厚膜化を図ることにも限界があり、また、参照光の入射角度においても、上述したように、その可変範囲が限られており、これにより多重数が制限されていた。
【００１２】
一方、角度多重方式に別の多重方式を組み合わせる場合、光学系または機構系の追加を要するため装置が複雑化し、装置コストが高価となることが課題となる。例えば特許文献４記載の技術を例に挙げると、記録媒体内の記録位置を選択する位置決め装置のほか、選択された記録領域の中心を回転中心として記録媒体を回転させる機構を別途必要とする。また、例えば特許文献５記載の技術では、ペリストロフィック多重を行うために参照光偏向手段としての楔形プリズムあるいは回折格子を回転させる機構を別途必要とする。
【００１３】
このようなことから、特に角度多重方式においては、部品点数を増加させたり、装置構成を複雑化させることなく、記録密度、記録容量を増加させることが強く要望されている。
もちろん、角度多重方式のみならず上述した他の多重方式においても、同様の要望がある。
【００１４】
本発明は、上記事情に鑑みなされたもので、ホログラムを利用した情報記録／再生について、従来のものよりも、部品点数を増加させたり装置構成を複雑化させることなく、多重記録数を大幅に増加させることができ、これにより従来のものよりも記録密度・記録容量を大幅に増加させることができる多重ホログラム記録／再生装置とその方法を提供することを目的とするものである。
【課題を解決するための手段】
【００１５】
本発明の多重ホログラム記録／再生装置は、
記録層を有する扁平状のホログラム記録媒体の記録／再生領域を記録／再生処理位置に移動せしめる記録媒体移動手段と、
該記録／再生処理位置において、一定方向からの光照射により前記ホログラム記録媒体の記録／再生領域に角度多重による記録／再生処理を施す記録／再生処理手段と、を備え、
前記記録媒体移動手段が、前記ホログラム記録媒体を、該ホログラム記録媒体の回転軸を中心として回転せしめる記録媒体回転移動手段と、該記録媒体回転移動手段を支持するとともに前記記録／再生処理位置を該ホログラム記録媒体上で相対的に直線移動せしめる記録媒体直線移動手段と、からなる多重ホログラム記録／再生装置において、
前記ホログラム記録媒体の回転軸上の位置を通り、前記直線移動の方向に垂直となる線分を基準線としたとき該基準線で分けられる前記ホログラム記録媒体上の２つの領域の一方側から他方側に、前記記録媒体直線移動手段を用いて、該記録／再生処理位置が前記ホログラム記録媒体上で相対的に直線移動するように制御する移動制御手段を備えたことを特徴とするものである。
【００１６】
また、前記移動制御手段による制御は、前記記録／再生処理位置が前記回転軸上を通るように設定されていることが好ましい。
【００１７】
また、前記移動制御手段による制御は、前記記録媒体直線移動手段を用い、前記ホログラム記録媒体上の所定の起点から、前記相対的な直線移動をなし、次に、前記記録媒体回転移動手段を用い、回転角ψが１８０度となる回転移動を行い、この後、前記記録媒体直線移動手段を用い、前記所定の起点に向けて前記相対的な直線移動をなす、一連の移動操作に係る制御であることが好ましい。
【００１８】
また、前記一連の移動操作がなされた後、ホログラム記録媒体の記録／再生領域の一部または全域に前記記録／再生処理が施されるように、前記記録媒体回転移動手段を用い、該起点から所定の角度だけ回転させる度に、前記一連の移動操作を行うことが好ましい。
【００１９】
また、前記移動制御手段による制御は、前記記録媒体直線移動手段を用い、前記ホログラム記録媒体上の所定の起点から、前記相対的な直線移動をなし、次に、前記記録媒体回転移動手段を用い、回転角ψが所定の角度（−１８０度＜ψ＜１８０度）となる回転移動を行い、この後、前記直線移動と前記回転移動を交互に繰り返す、一連の移動操作による制御であることが好ましい。さらに、この一連の移動動作がなされた後、前記記録媒体回転移動手段を用い、回転角ψが１８０度となる回転移動を行い、次に、この一連の移動動作を再度行うことが可能である。
【００２０】
また、本発明の多重ホログラム記録／再生方法は、
扁平状のホログラム記録媒体を、該ホログラム記録媒体の回転軸を中心として回転移動せしめるとともに該ホログラム記録媒体を相対的に直線移動させ、記録／再生処理位置に対して一定方向からの光照射により、該記録／再生処理位置において、前記ホログラム記録媒体の所望の記録／再生領域に記録／再生処理を施す多重ホログラム記録／再生方法において、
前記所望の記録／再生領域に角度多重による前記記録／再生処理を施し、
次に、前記ホログラム記録媒体を該記録／再生処理位置に対し、前記回転軸を中心として１８０度に亘って回転移動せしめるとともに、前記回転軸上の位置を通過して前記所望の記録／再生領域に至るまで相対的に直線移動せしめ、
この後、該記録／再生領域に角度多重による前記記録／再生処理を再度施すことを特徴とするものである。
【００２１】
なお、上記「光照射」は、勿論、ホログラム記録媒体のラジアル方向からの入射に限られるものではなく、どのような方向からの照射であってもよい。
【００２２】
また、上記「一定方向からの光照射」とは、少なくとも、記録／再生処理位置をホログラム記録媒体上で相対的に移動せしめている期間においては、照射光の入射方向が一定とされていることを意味する。
【００２３】
また、本願明細書において、多重ホログラム記録／再生装置とは、ホログラム記録装置、ホログラム再生装置およびホログラム記録再生装置のいずれをも含む概念とする。
【発明の効果】
【００２４】
角度多重方式を用いた本願発明の多重ホログラム記録／再生装置および多重ホログラム記録／再生方法によれば、ホログラム記録媒体の回転軸上の位置を通り、上記直線移動の方向に垂直となる線分を基準線としたとき、記録時または再生時において、該基準線で分けられるホログラム記録媒体上の２つの領域の一方側から他方側に、記録／再生処理位置をホログラム記録媒体上で相対的に直線移動せしめるようにしている。すなわち、この多重ホログラム記録／再生装置の記録／再生処理位置は、ホログラム記録媒体上での照射光（信号光と参照光、または参照光）を射出する光射出部を備えているが、記録／再生処理では照射光をホログラム記録媒体上に照射する際に、上記一方側の領域内での照射方向と上記他方側の領域内での照射方向、例えばホログラム記録媒体の中心側からか、または外周側からか、という点において互いに入れ替わることになる。
【００２５】
例えば、記録／再生処理位置が前記ホログラム記録媒体の回転軸上を通過するように直線移動する場合、前記一方側の領域内では外周方向から光照射（例えば、参照光が照射）される場合には、前記他方側の領域内では中心方向から光照射（例えば、参照光が照射）されるようになる。このことは、記録／再生処理位置が前記ホログラム記録媒体の回転軸からオフセットした位置上を通過する場合でも、前記一方側の領域と前記他方側の領域とでは、光照射方向が相違することになる。
【００２６】
このようにすることにより、この直線移動軌跡を反対側からなぞるようにして、記録／再生処理位置と前記ホログラム記録媒体とを相対的に直線移動せしめれば、直線移動軌跡上の各記録／再生領域に対して、互いに異なる方向からの多重記録が可能となる。すなわち、相対的な直線移動により記録／再生処理位置が回転軸上を通過する例を用いれば、まず、記録／再生処理位置を前記ホログラム記録媒体上で相対的に直線移動によって前記一方側の領域から前記他方側の領域まで移動せしめ、この後、前記ホログラム記録媒体をその回転軸を中心として180度回転させ、さらに、記録／再生処理位置を前記ホログラム記録媒体上で相対的に直線移動によって前記他方側の領域から前記一方側の領域まで移動せしめることにより、いわば直線移動の往路と復路を互いに別角度からの光照射（互いに異なる、信号光・参照光の入射方向）によって記録／再生処理を行うことができ、記録容量の倍増に対応することができる。
【００２７】
特に、角度多重による従来の多重ホログラム記録／再生装置においては、前記ホログラム記録媒体表面の法線に対し、正または負のうち一方の照射光入射角度の所定の範囲において角度を変更しつつ多重記録を行っていたが、本発明装置によれば、正および負の両者の入射角度の所定の範囲において角度を変更しつつ多重記録を行なうことができるので記録容量を倍増することができる。
【図面の簡単な説明】
【００２８】
【図１】本発明の実施形態に係る多重ホログラム記録／再生装置の基本的な概念を示す概念図である。
【図２】本発明の実施例に係る多重ホログラム記録／再生装置における多重ホログラム記録／再生処理を説明するための図である。
【図３】本発明の実施例に係る多重ホログラム記録／再生方法に係る基本的な記録／再生処理の流れを示すフローチャートである。
【図４】本発明の実施例に係る多重ホログラム記録／再生装置におけるホログラム記録媒体の配置を移動手段との関係で表わしたものである。
【図５】本発明の実施例に係る多重ホログラム記録／再生装置により記録されたホログラム記録媒体内部でのホログラム縞角度を説明するための概念図である。
【図６】本発明の実施例に係る多重ホログラム記録／再生装置の光学系の配置を示す概略図である。
【図７】本発明の実施例に係る多重ホログラム記録／再生方法により記録再生処理を行なった場合のビット誤り率を示すグラフである。
【図８】本発明の実施例の変形例に係る多重ホログラム記録／再生装置を説明するための図である。
【発明を実施するための形態】
【００２９】
以下、本発明の実施形態に係る多重ホログラム記録／再生装置および方法を図面を参照しつつ説明する。
【００３０】
まず、本発明の多重ホログラム記録／再生装置は、図１（Ａ）に示すように、記録層を有するディスク状のホログラム記録媒体１０１の記録／再生領域を回転軸１０２を中心として記録／再生処理位置に移動せしめる回転移動手段（スピンドル部）１０３と、回転移動手段１０３を支持するとともにホログラム記録媒体１０１を直線移動せしめる直線移動手段（キャリッジ部）１０４とからなる記録媒体移動手段を備え、また、ホログラム記録媒体１０１の回転軸１０２上の位置を通り、上記直線移動の方向に直交する線分を基準線１０６（図１（Ｃ）参照）としたとき、この基準線１０６で分けられるホログラム記録媒体１０１上の２つの領域の一方側（Ａ領域）から他方側（Ｂ領域）に、記録／再生処理位置１０５を相対的に直線移動せしめる移動制御手段１１０を備えている。ここで、移動制御手段１１０は具体的には、ＣＰＵやメモリ等のハードと、プログラムよりなるソフトから構成され、回転移動手段１０３の駆動部および直線移動手段１０４の駆動部に対して適切な駆動制御信号を送出する。
【００３１】
また、本発明の多重ホログラム記録／再生装置においては、直線移動手段１０４が、ホログラム記録媒体１０１を保持し搭載した回転移動手段１０３を載設しつつ、ホログラム記録媒体１０１をその直径方向に直線移動させるものであって、図１（Ａ）、（Ｂ）はこの移動操作を時系列的に表わすものである。図１（Ａ）では、記録／再生処理位置１０５に対して、ホログラム記録媒体１０１が直線移動して、ホログラム記録媒体１０１の所望の外周側位置（図１（Ｃ）に示すように、Ａ領域内の点Ｐ）から回転軸（回転中心）１０２に至る直線上の点が、記録／再生処理位置１０５に移動されて多重記録／再生処理が行われる様子が示されている。一方、図１（Ｂ）では、時間が経過し、ホログラム記録媒体１０１の直線移動により記録／再生処理位置１０５に、回転軸１０２からホログラム記録媒体１０１の所望の外周側位置（図１（Ｃ）に示すように、Ｂ領域内の点Ｑ）に至る直線上の所望の点が、記録／再生処理位置１０５に移動されて多重記録／再生処理が行われる様子が示されている。
【００３２】
ここで、上述した、点Ｐから回転軸１０２に至る直線上の各点をＡ領域に含まれる各点とし、回転軸１０２から点Ｑに至る直線上の各点をＢ領域に含まれる各点としたとき、Ａ領域に含まれる各点においては、図１（Ａ）に示すように、信号光の入射角が角度φとされ、参照光の入射角が角度−θとされる（φ、θのいずれにおいても、外周側から中心側に向かう方向を正にとる。以下同じ。）のに対し、Ｂ領域に含まれる各点においては、図１（Ｂ）に示すように、信号光の入射角が角度−φとされ、参照光の入射角が角度θとされる（信号再生時においては参照光のみが入射される。以下、同じ。）。
【００３３】
従来技術においては、ホログラム記録媒体の回転軸を中心とする同心円上の各点を回転移動によって記録／再生処理位置に移動させつつ、各点の記録／再生処理を行なうようになっていることから、全ての記録／再生処理位置において、信号光および参照光の入射角が角度φおよび角度θで一定である。これに対し、本実施形態のものにおいては、直線移動させている途中で基準線１０６を超えるとき、信号光および参照光の入射角度φ、θの正負符号が入れ替わることになる。
【００３４】
このことは、後述するように、多重記録／再生の多重化数を増大させて記録容量を増大させることにつながるという効果を奏する。
ただし、一定方向（例えば、所定の外周方向）から入射するような設定とする必要がある。
【００３５】
なお、本発明の多重ホログラム記録／再生装置としては、一般的にはディスク形状（円形状）をなすものが好適であるが、矩形状あるいは多角形形状とすることも可能である。
【００３６】
また、記録／再生の多重方式としては、角度多重方式に限られるものではなく、波長多重、位相コード多重、スペックル多重、球面波シフト多重などの各種の多重方式あるいは、角度多重方式を含めたこれらの多重方式を互いに組み合わせたものとすることも可能である。
【００３７】
また、直線移動と回転移動の移動操作は交互に行うことになるが、直線移動および回転移動の移動量としては、種々の値を選択し得る。例えば、１回の回転移動の角度としては１８０度に限られず、任意の角度とすることができる。また、以下の図２を用いて説明する実施例等においては、直線移動を行ったら、１８０度の回転移動を挟み、該直線移動の移動軌跡を戻るべく再び直線移動を行うように、すなわち、２つの直線移動による移動軌跡が互いに重なるように設定しているが、例えば、直線移動を行った後に所定の角度、例えば３０度の回転移動を行う、ということを複数回繰り返し、それらの回転移動の回転角の総和が３６０度となった時点で、移動操作を終了することで、結果としてホログラム記録媒体１０１の各領域が各々異なる角度からの２セットづつの多重記録／再生処理を施されるようにしてもよい。
【００３８】
また、もちろん、記録／再生する領域はホログラム記録媒体１０１の全領域ではなく、一部領域であってもよい。
【００３９】
また、上記回転移動手段（スピンドル部）１０３としては、例えば、回転位置制御部およびステッピングモータ等から構成し得る。一方、直線移動手段（キャリッジ部）１０４としては、例えば、直線位置制御部、回転移動手段１０３を載設するステージ、このステージを直線移動せしめるリニアモータ等から構成し得る。
【００４０】
以下、本発明の具体的な実施例について図面を用いて説明する。
【実施例】
【００４１】
以下、図２（Ａ）、（Ｂ）の構成概略図および図３のフローチャートを用いて、ページデータ番号１〜２Ｎ（但し、Ｎは２以上の整数）の各ページデータについて角度多重記録／再生する様子を説明する。
【００４２】
まず、ディスク型のホログラム記録媒体１０１の記録または再生のための照射がなされるよう、ホログラム記録媒体１０１の位置決めを行う。この位置決めにより選択された所望の一領域（選択された領域）において、ページデータ番号１〜Ｎの各ページデータについての角度多重の記録または再生を行う（図２（Ａ）参照）。
【００４３】
この後、当該所望の一領域にページデータ番号Ｎ＋１〜２Ｎの各ページデータを角度多重により追記録または追再生するには、まず、ホログラム記録媒体１０１の中心位置を回転軸（回転中心）１０２として面内で１８０度回転させ、さらに当該所望の一領域に光が照射されるよう直線移動手段１０４（図４（Ｂ）参照）により直線移動させる。この転置作用により、ページデータ番号１〜Ｎの各ページデータが記録／再生された同一領域に、異なる照射光入射角度で記録／再生することができ、ページデータ番号Ｎ＋１〜２Ｎの各ページデータについて角度多重記録／再生することができる（図３、ステップＳ１）。
【００４４】
すなわち、図２（Ａ）に示すように、ＳＬＭ８から出射された信号光は、第１レンズ１０を介し、入射角φにてホログラム記録媒体１０１の所望の一領域に照射される。一方、参照光は、入射角−θによりホログラム記録媒体１０１上の、上記所望の一領域（信号光照射領域）に照射される（再生時には参照光のみが照射される）。
【００４５】
このとき、参照光の入射が上記直線移動方向に直交する方向からの入射とならず、また移動中および記録／再生処理中は一定方向から入射するように設定される。
【００４６】
この参照光の入射角θは、例えば３０度（第１レンズ１０と参照光との物理的干渉やホログラム記録媒体１０１の表面における参照光の端面反射等の影響を考慮して決定する）の範囲において、例えば、β度づつＮ−１回に亘って変化するようになっており、この入射角θの変化の度に、ホログラム記録媒体１０１の同一領域に記録／再生処理がなされることから、結局、Ｎ回（θ１、θ２…θＮ）の角度多重記録／再生を行うことができるようになっている。この例において、βを０．３度とすれば、最大で１０１多重が可能となるから、本実施例では、Ｎ＝１００に設定するようにしている。
【００４７】
より具体的には、ページデータ番号１のページデータをＳＬＭ８に表示し、ホログラム記録媒体１０１の所望の一領域に、信号光を照射するのと同時に参照光も入射角度θ1で照射することで一つのページデータ（ページデータ番号１）をホログラムとして記録再生する（再生時には参照光のみが照射される）。次に、参照光のホログラム記録媒体１０１への入射角度θを0.3度減少させたθ2にてページデータ番号２のページデータを記録／再生する。その後、参照光の入射角度を0.3度ずつ減少させながら順次ページデータを記録／再生していき、最終的に、参照光入射角度θNにてページデータ番号Ｎすなわちページデータ番号100のページデータを記録／再生する（図２（Ａ）参照）。
【００４８】
次に、前述したように、ホログラム記録媒体１０１の中心位置を回転軸（回転中心）１０２として面内方向で１８０度回転させ、さらに現在選択している記録／再生処理位置１０５に信号光および参照光（再生時には参照光のみ）が照射されるよう直線移動手段１０４によりホログラム記録媒体１０１を直線移動させ、ホログラム記録媒体１０１を転置させる（図２（Ｂ）参照）。すなわち、Ａ点―Ｂ点側とＣ点―Ｄ点側が入れ替わるよう、ホログラム記録媒体１０１の配置を変えることになる（図３、ステップＳ２）。
【００４９】
この後、ホログラム記録媒体１０１の上述した所望の一領域に、ページデータ番号Ｎ＋１から２Ｎすなわちページデータ番号１０１からページデータ番号２００について、参照光の入射角度θをθ1からθNまで変化させつつ順次記録／再生する（図３、ステップＳ３）。
【００５０】
この後、回転移動手段１０３に取り付けられたホログラム記録媒体１０１が回転することによりタンジェンシャル方向に移動し、また直線移動手段１０４が回転移動手段１０３とホログラム記録媒体１０１をラジアル方向に移動することにより、ホログラム記録媒体１０１の任意の位置を選択して異なる所望の一領域に記録または再生が可能である。
【００５１】
なお、上記手順によりページデータ番号1〜200を記録した後において、ポストキュアと称される定着処理を行う必要がある。これは緑色ＬＥＤをホログラム記録媒体１０１の記録済み領域に照射することで活性化したモノマーを完全に重合させ、これ以上の反応が生じないようにするためのものである。
【００５２】
図４は、本実施例におけるホログラム記録媒体１０１の配置を移動手段との関係で表したものであり、図４（Ａ）は図２（Ａ）に、図４（Ｂ）は図２（Ｂ）に、各々対応するものである。
【００５３】
すなわち、まず図４（Ａ）に示すように、直線移動手段１０４によりホログラム記録媒体１０１が直線移動され、所望の記録領域１０７を信号記録／再生処理位置１０５に一致させ、ページデータ番号１〜Ｎの各ページデータの多重記録／再生を行う。次に回転移動手段１０３によりホログラム記録媒体１０１が１８０度に亘って回転移動される。この状態で、図４（Ｂ）に示すように、直線移動手段１０４によりホログラム記録媒体１０１が直線移動され、上述した所望の記録領域１０７を信号記録／再生処理位置１０５に一致させ、ページデータ番号Ｎ＋１〜２Ｎの各ページデータの多重記録／再生を行う。
【００５４】
図５は、上記実施例を用いて行われるホログラム記録／再生処理において、ホログラム記録媒体１０１内部でのホログラムの縞角度を説明するための概念図である。ここで、ホログラムの縞角度としては、信号光中心軸のホログラム記録媒体１０１への入射角度φと参照光入射角度θを加算した角度の半分に相当する角度により示すものとする。
【００５５】
まず、ページデータ番号１〜Ｎの各ページデータの記録については、図５（Ａ）に示すように、1〜Ｎまでの縞角度をもつホログラムが記録されることによりなされる。
【００５６】
次に、Ａ点―Ｂ点側とＣ点―Ｄ点側が１８０度入れ替わるよう、ホログラム記録媒体１０１の配置が変更される。
【００５７】
これにより、ページデータ番号Ｎ+１〜２Ｎの各ページデータの記録について、図５（Ｂ）に示すように、Ｎ+１〜２Ｎまでの縞角度をもつホログラムが記録されることによりなされる。
【００５８】
これにより、２Ｎ個のホログラムはそれぞれ異なる格子ベクトルを持つ別個独立のものとなり、所望の一領域に２Ｎ個の多重記録をすることが可能となる。
【００５９】
以下、本発明の実施例に係るホログラム記録／再生装置の主用光学系を図６を参照しつつ、情報記録機能と情報再生機能に分けて説明する。
【００６０】
＜情報記録機能＞
図６に示すように、レーザ光源（ＤＰＳＳ（Diode Pumping Solid State：半導体励起固体）レーザ光源）１から出射されたコヒーレントなレーザ光束（波長532nm）は、ビームエキスパンダおよび空間ノイズフィルタとして機能するスペイシャルフィルタ２を通過し、半波長板４を透過し反射ミラー５により反射された後、偏光ビームスプリッタ６により２系の光束に分岐され、それぞれ信号光（物体光：実際にはＳＬＭ（空間光変調器）８により信号光とされる）および参照光として機能せしめられる。
【００６１】
上記参照光は、光束を適宜通過／遮断するためのシャッタ２０を通過し、反射ミラー２１により反射されてホログラム記録媒体１０１上の所定の領域に照射される。また、反射ミラー２１は、載設台の略中心位置を回転軸として回動自在とされてなる回転器（回転移動手段）２２の載設台上に設置される。具体的には、ガルバノミラーや音響光学変調素子などにより構成される。
【００６２】
一方、上記信号光は、偏光ビームスプリッタ７を介してＳＬＭ８に照射される。
ＳＬＭ８としては、例えば0.7型の液晶ディスプレイパネル等の反射型の液晶表示パネルが好適であるが、透過型の液晶パネルやＤＭＤ（デジタルマイクロミラーデバイス：Digital Micromirror Device）等の他のライトバルブを用いてもよい。ＳＬＭ８上の各ピクセルがページデータ上の２値のデジタル情報に応じて光を通過（図６の例では反射）／遮断することで、空間的に光を変調する。この変調処理によりページデータ情報を担持した信号光が生成される。
【００６３】
ＳＬＭ８として液晶表示パネルを用いているので、ＳＬＭ８から出射された信号光は、入射した状態とは偏光方向が変化しており、偏光ビームスプリッタ７において反射され、シャッタ９を通過した後、第１レンズ１０によって光学的にフーリエ変換されてホログラム記録媒体１０１へ照射される（入射角φ）。このときホログラム記録媒体１０１中の信号光が照射される領域へ、別角度から、上記参照光が同時に照射される（入射角θ）ので、ホログラム記録媒体１０１内部の体積中に干渉縞が生じ、この縞分布を屈折率分布などの形態でホログラム記録媒体１０１の記録領域に転写することによりホログラム記録が行われる。
【００６４】
ここで、上記ホログラム記録媒体１０１としては、例えば、２枚のガラスディスクに厚さ１ｍｍのフォトポリマ材料を挟んでなるものが使用される。
【００６５】
なお、反射ミラー２１とホログラム記録媒体１０１の間には、レンズ２３、２４が配設されている。
【００６６】
また、異なるページデータをＳＬＭ８に表示させつつ、参照光のホログラム記録媒体１０１への入射角度θを回転器（回転移動手段）２２を用いて少しずつ変化させることにより、互いに異なるページデータをホログラム記録媒体１０１中の同一領域へ多重記録することが可能となり、より高密度な情報格納が可能となる。なお、回転器（回転移動手段）２２に対する回転移動指示および図６には示されていないキャリッジ（直線移動手段）に対する直線移動指示は、移動制御手段１１０からの制御信号によりなされる（情報再生時も同じ）。
【００６７】
＜情報再生機能＞
次に、情報再生時においては、シャッタ２０を通過した参照光は、所定の参照光入射条件となるように設定して、ホログラム記録媒体１０１の所定の領域に照射される。なお、シャッタ９は閉じた状態とされる。
【００６８】
すなわち、所望のページデータを再生する場合には、原則として、この所望のページデータを記録した情報記録時と同様の入射角度θおよび位置において、参照光をホログラム記録媒体１０１に入射せしめることにより、所望のページデータ情報を担持した再生光（回折光）がホログラム記録媒体１０１から出力され、この再生光が第２レンズ１２を介してＣＣＤカメラ１４の撮像素子に入射し撮像される。
【００６９】
次に、上述した実施例により信号記録が行われたホログラム記録媒体１０１について、信号記録がなされたときと同じ入射角度θにて参照光のみを記録領域に照射し、再生光を得て、誤り率の評価を行った。
【００７０】
評価方法は、まずページデータ番号１〜Ｎの各ページデータの記録情報を多重再生した後に、記録時と同様にしてホログラム記録媒体１０１の配置を変更し、ページデータ番号Ｎ＋１〜２Ｎの各ページデータの記録情報を多重再生した。
【００７１】
再生光は第２レンズ１２によりＣＣＤカメラ１４に結像されるので、これにより取得した撮像データを元データと比較し、ビット誤り率を計算した。
【００７２】
ページデータ番号１〜１００およびページデータ番号１０１〜２００のページデータにおける、ビット誤り率の測定結果を図７に示す。図７に表わされるように、全体に亘って10-5〜10-4台の低いビット誤り率が得られた。すなわち、本実施例により、従来と比べて、特段の光学部品・機構部品を追加することなく多重数を倍増させることが可能となり、その誤り率も十分低い値とすることが可能となった。
【００７３】
次に、ページデータ番号１〜Ｎの各ページデータを記録／再生後に、ページデータ番号Ｎ＋１〜２Ｎの各ページデータを記録／再生するための直線移動量と回転移動角度について説明する。
【００７４】
上述した実施例においては、直線移動をする際に、記録／再生処理位置１０５が回転軸１０２上を相対的に通過するように設定されているが、直線移動をする際に、必ずしも記録／再生処理位置１０５が回転軸１０２上を相対的に通過せず、いわゆるオフセットを持たせた状態とすることも可能である。
【００７５】
図８は、このような状態を説明するものである。
【００７６】
ここで、ホログラム記録媒体１０１の回転軸（回転中心）１０２を通り、直線移動軸と垂直な線を線分Ｌ０（基準線）とし、回転軸（回転中心）１０２と記録／再生処理位置（光照射位置）１０５を結ぶ線を線分Ｌ１とする。また、線分Ｌ０と線分Ｌ１がなす角をα（ただし0≦α≦90°）とし、回転軸（回転中心）１０２と記録／再生処理位置（光照射位置）１０５との距離をＲとする。ページデータ番号１〜Ｎの各ページデータを記録／再生後、本実施例方法にて同一の記録／再生処理位置（光照射位置）１０５にページデータ番号Ｎ＋１〜２Ｎの各ページデータを記録／再生するには、これら２つの多重記録／再生処理の間で２Ｒ・sinαの距離だけ図８に示す正の直線移動方向に直線移動させるとともに、図８に示す正の回転移動方向にψ＝２αの角度だけホログラム記録媒体１０１を回転移動させればよい。
【００７７】
前述の非特許文献１によれば、照射光の波長を488 nm、参照光と信号光の角度差を60°とした場合、厚さ1 mmのホログラム記録媒体１０１に対するペリストロフィック多重の選択性はおよそ2.3°であるから、この場合には、αは1°程度以上に設定する必要がある。またクロストークを低減させるという観点からはαが大きいほうが望ましく、本実施例でα=90°と最大値に設定したのはクロストークの影響を最も低減させた状態とするためである。
【００７８】
なお、上記直線移動と上記回転移動は同時に行ってもよいし、一方の終了の後、他方を行うようにしてもよい。
【００７９】
なお、上記実施例における、角度範囲、角度間隔、参照光入射角度の順番、多重数、光源波長およびＳＬＭやカメラデバイスの種類等は、上記実施例で用いた条件以外の種々の態様のものを採用することが可能である。また、位相共役再生においても上記実施例と同様の構成により実施することが可能である。
【符号の説明】
【００８０】
１    レーザ光源
２    スペイシャルフィルタ
４    半波長板
５    ミラー
６、７    偏光ビームスプリッタ
８    ＳＬＭ（空間変調器）
９、２０    シャッタ
１０、１２、２３、２４    レンズ
１３    開口
１４    ＣＣＤカメラ
１４ａ    ＣＣＤ
２２    回転器（回転移動手段）
１０１    ホログラム記録媒体
１０２    回転軸（回転中心）
１０３    回転移動手段
１０４    直線移動手段
１０５    記録／再生処理位置
１０６    基準線
１０７    所望の記録領域
１１０    移動制御手段
【図１】
0005693383.tif 000002
【図２】
0005693383.tif 000003
【図３】
0005693383.tif 000004
【図４】
0005693383.tif 000005
【図５】
0005693383.tif 000006
【図６】
0005693383.tif 000007
【図７】
0005693383.tif 000008
【図８】
0005693383.tif 000009